(57)【要約】【課題】            ＩＣタグを容易に取り外して回収することができるよう、ミシン目をはじめ、引張方向に対して弱い部分を形成すると、アタッチ部材の本来的な目的である強固にタグ類を保持することが損なわれ、意図しない時、取れてはならない時にも切損し、ＩＣタグが外れてしまう虞れが非常に大きいという点を解消することである。【解決手段】        一端に係止部を形成した受孔を有する受部を備え、他端には前記受部の受孔に挿入され、前記係止部と係合される係合部を有する挿入部を備えた線状材の略中程にクリップ状にタグ等の札類を挟持させるホックタイプの吊持ロック部を一体的に備えたアタッチ部材において、前記線状材と吊持ロック部の連結部は捻転力により切断可能としてあることとし、前記した吊持ロック部は支持材の先端に雄部と雌部を備えたものとし、その雄部と雌部を備えた各支持材が相互に捻転力により分離可能なものとし、かつ、雄部、雌部の少なくとも一方のサイズが吊持挟持する目的のタグ等の札類に形成された吊持用透孔のサイズより小さく形成されていることとする。【選択図】          図１
2005283784.tif 000002
【特許請求の範囲】
【請求項１】
一端に係止部を形成した受孔を有する受部を備え、他端には前記受部の受孔に挿入され、前記係止部と係合される係合部を有する挿入部を備えた線状材の略中程にクリップ状にタグ等の札類を挟持させるホックタイプの吊持ロック部を一体的に備えたアタッチ部材において、前記線状材と吊持ロック部の連結部は捻転力により切断可能としてあることを特徴とするアタッチ部材。
【請求項２】
前記した線状材と吊持ロック部の連結部は複数の細線体で形成されていることを特徴とする請求項１に記載のアタッチ部材。
【請求項３】
前記した線状材と吊持ロック部の連結部は薄膜帯体で形成されていることを特徴とする請求項１に記載のアタッチ部材。
【請求項４】
前記した吊持ロック部は支持材の先端に雄部と雌部を備えたものとし、その雄部と雌部を備えた各支持材が相互に捻転力により分離可能なものとし、かつ、雄部、雌部の少なくとも一方のサイズが吊持挟持する目的のタグ等の札類に形成された吊持用透孔のサイズより小さく形成されていることを特徴とする請求項１、請求項２または請求項３に記載のアタッチ部材。
【請求項５】
一端に係止部を形成した受孔を有する受部を備え、他端には前記受部の受孔に挿入され、前記係止部と係合される係合部を有する挿入部を備えた線状材からなるアタッチ部材において、前記した受部もしくは挿入部の基端部を捻転力により切断可能としてあることを特徴とするアタッチ部材。
【請求項６】
両端に抜け止め部を一体に備えた線状材からなるアタッチ部材において、少なくとも一方の抜け止め部は前記した線状材の端部に形成された基部と連結部で連結され、その連結部は捻転力により切断可能としてあることを特徴とするアタッチ部材。
【発明の詳細な説明】
【技術分野】
【０００１】
本発明はアタッチ部材、特に衣服類等の商品に、価格や品質等を表示したタグ（表示札）を取り付けるために用いられるアタッチ部材の改良に関する。
【背景技術】
【０００２】
従来より、上記したアタッチ部材は、主として延伸処理されたプラスチック製フィラメントの両端に抜け止め用の横棒部やパドル部を一体に備えたピンタイプのもの、フィラメントの一端に受部を、他端にその受部への挿入部を一体的に備え、挿入部を受部へ挿し入れロックすることで無端リングを形成するループタイプのもの、そしてフィラメントの中程を屈折して、両端には受部と挿入部を備えた松葉状タイプのもの及びこれらの複合タイプのものが知られている。
【０００３】
また、前記したプラスチック製のフィラメントは需要に応じて糸や帯状のもの、あるいはボールチェーン等の種々の構成のものが使用されることも多く、取り付けられるタグ（表示札）としては商品の価格や品質等が記載されたものが一般的であり、商品の種々の情報としてバーコードがプリントされたり、プリントされたシールが貼装されることも多い。
【０００４】
さらに、近時はより多くの情報を入力し、万引き行為を防止、監視するために、磁気に感応する素材を付加したものや、ＩＣチップを具備したＩＣタグも使用が実現化しつつある。ＩＣタグはＩＣチップ及びアンテナ部材をタグ内に密封した構成とされ、電波に反応する構成とされている。
【０００５】
しかし、現在ＩＣタグはその価格が高く、使い捨てとするにはあまりにも経済的負担が大きいため、回収し、リサイクル使用することが考えられている。そのため、ＩＣタグを商品販売時等に即時取り外せるよう、ＩＣタグの吊持部分等にミシン目を入れること等が行なわれている。
【特許文献１】特開２０００−２７６０５７号公報
【特許文献２】特開２０００−６６６０８号公報
【特許文献３】特開２００２−１６０７５１号公報
【発明の開示】
【発明が解決しようとする課題】
【０００６】
本発明が解決しようとする問題点はアタッチ部材に、ＩＣタグを容易に取り外して回収することができるよう、ミシン目をはじめ、引張方向に対して弱い部分を形成すると、アタッチ部材の本来的な目的である強固にタグ類を保持することが損なわれ、意図しない時、取れてはならない時にも切損し、ＩＣタグが外れてしまう虞れが非常に大きいという点である。
【課題を解決するための手段】
【０００７】
上記した問題点を解消するために、本発明に係るアタッチ部材は一端に係止部を形成した受孔を有する受部を備え、他端には前記受部の受孔に挿入され、前記係止部と係合される係合部を有する挿入部を備えた線状材の略中程にクリップ状にタグ等の札類を挟持させるホックタイプの吊持ロック部を一体的に備えたアタッチ部材において、前記線状材と吊持ロック部の連結部は捻転力により切断可能としてあることを特徴とし、前記した線状材と吊持ロック部の連結部は複数の細線体で形成されていることを特徴とし、前記した線状材と吊持ロック部の連結部は薄膜帯体で形成されていることを特徴としている。
【０００８】
また、本発明に係るアタッチ部材は前記した吊持ロック部は支持材の先端に雄部と雌部を備えたものとし、その雄部と雌部を備えた各支持材が相互に捻転力により分離可能なものとし、かつ、雄部、雌部の少なくとも一方のサイズが吊持挟持する目的のタグ等の札類に形成された吊持用透孔のサイズより小さく形成されていることを特徴としている。
【０００９】
さらに、本発明に係るアタッチ部材は一端に係止部を形成した受孔を有する受部を備え、他端には前記受部の受孔に挿入され、前記係止部と係合される係合部を有する挿入部を備えた線状材からなるアタッチ部材において、前記した受部もしくは挿入部の基端部を捻転力により切断可能としてあることを特徴としている。
【００１０】
そして、本発明に係るアタッチ部材は両端に抜け止め部を一体に備えた線状材からなるアタッチ部材において、少なくとも一方の抜け止め部は前記した線状材の端部に形成された基部と連結部で連結され、その連結部は捻転力により切断可能としてあることを特徴としている。
【発明の効果】
【００１１】
本発明に係るアタッチ部材は、上記したような構成としたことによって、タグを保持している部分は通常加えられることが予想される引張力等に対しては従前と同様に強く、故意的に加えられる捻転力によって容易にねじ切り切断ができることとなり、その保持している部分からタグを格別に傷つけることなく取り外し、回収してリサイクル使用することを可能としている。
【発明を実施するための最良の形態】
【００１２】
本発明に係るアタッチ部材は実施例として示す図面のような形態として実現した。
【実施例１】
【００１３】
次に、本発明の好ましい実施例を図面を参照して説明する。図１は本発明を実施したアタッチ部材を示す正面図、図２は同じく他の例の要部を示す図、図３は同じく他の例の要部を示す図、図４は同じく吊持ロック部の一例を示す正面図、図５は同じく他の例を示す正面図、図６は同じく他の例を示す正面図、図７は同じく他の例を示す正面図、図８は同じく他の例を示す正面図、図９は同じく他の例を示す正面図、図１０は同じく他の例を示す正面図、図１１は同じく他の例を示す正面図、図１２はループタイプとしたアタッチ部材を示す正面図、図１３は同じく他の例を示す正面図、図１４はピンタイプとしたアタッチ部材を示す正面図、図１５はＩＣタグを示す正面図である。
【００１４】
これらの図にあって１は線状材としての延伸加工処理されたプラスチック製のフィラメントを示している。このフィラメント１の一端には内部に係止部を形成した受孔２を有する受部３が一体に備えられている。また、フィラメント１の他端には前記した受部３の受孔２内に挿入される挿入部４が一体に備えられ、この挿入部４には受孔２内の係止部と係合してフィラメント１を無端のループ状にロックする係合部５が形成されている。
【００１５】
前記したフィラメント１の略中央位置にはＩＣタグＴの吊持ロック部６が連結部７を介して一体的に備えられている。吊持ロック部６は未延伸のプラスチック材を略Ｖ字状に屈折させたクリップ状のものとなっており、一端に受穴８を形成した受部９を備え、他端には受穴８に挿し込まれてロックされる挿し込み部１０が備えられ、ＩＣタグＴの一縁に突出された突片ｔに形成された透孔Ｈに挿し込み部１０を挿通して挟持吊持状態とする。なお、ＩＣタグＴには内部にＩＣチップＣ及びアンテナＡが内蔵された構造とされている。
【００１６】
また、前記した連結部７は図１に示す場合、三本のプラスチック製細線を並列させた構成のものが用いられている。この三本のプラスチック製細線は引張方向に対しての抗力が強く切断されることはないが、捻転力を加えることによってよじれが生じると容易に切断され、吊持ロック部６をフィラメント１から離すことができるものとなっている。
【００１７】
図２、図３として示す場合はフィラメント１の略中央部位に連結用の幅広とした支持部１ａを形成してあるもので、吊持ロック部６との連結部１１として薄膜帯体を使用した場合、及び連結部７ａとして細線を二本使用した例を示しており、係る構成も前記と同様に捻転力を加えることによって吊持ロック部６を支持部１ａから切断して離すことができるものとしている。
【００１８】
また、上記した構成のままの場合、吊持ロック部６をフィラメント１もしくは支持部１ａから切断することができても回収されたＩＣタグＴにはその吊持ロック部６、少なくとも受部９と挿し込み部１０の嵌合状態が残余してしまうことが考えられる。
【００１９】
そこで、出願人は図４乃至図１１に示す吊持ロック部６の構成を提案する。これらはいずれも受部９と挿し込み部１０とが一本の支持材の両端にある構成ではなく、相互に切断分離が可能な構成とされている。
【００２０】
図４として示す例では支持部１ａに各々一本づつの細線を連結部７ａ、７ａとして先端に受部９を備えた吊持ロック部６の第一桿材６ａと、先端に挿し込み部１０を備え、挿し込み作業が行ない易いように大きく湾曲させた第二桿材６ｂが各々設けられている。ここで少なくとも第二桿材６ｂのサイズ及び挿し込み部１０のサイズは共にＩＣタグＴの透孔Ｈの径よりも小さく形成されている。
【００２１】
ＩＣタグＴはその透孔Ｈに挿し込み部１０が挿通され、その挿し込み部１０が受部９の受穴８に嵌合ロックされることで保持、即ち、透孔Ｈの内縁が挿し込み部１０の外周面に吊持された状態とされる。連結部７ａ、７ａを捻転することで吊持ロック部６は支持部１ａより切離され、その後、ＩＣタグＴの透孔Ｈを挿し込み部１０から第二桿材６ｂに沿って移動することで、ＩＣタグＴは完全に初期状態のまま回収することができる。このＩＣタグＴの外し方は図１１に示す例まで同旨となる。
【００２２】
以下、図５〜図１１に示す実施例では前記したと同一部分については同一符号を符して詳しい説明は省略する。図５に示す例では、第一桿材６ａを下向きコ字状の構成として、その第一桿材６ａの頂面を二本の連結部７ａ、７ａで支持部１ａと連結している。第一桿材６ａの一方端には支持部６ｃが形成され、その支持部６ｃに二本の細線からなる連結部７ｂ、７ｂを介して第二桿材６ｂが連結され、その第二桿材６ｂに挿し込み部１０が備えられた構成とされている。連結部７ｂ、７ｂも捻転力を加えることで切断され、第二桿材６ｂをフリー状態とすることができる。
【００２３】
図６に示す例では、第一桿材６ａをＬ字形に形成し、その頂面を二本の連結部７ａ、７ａで支持部１ａと連結している。第一桿材６ａの他端側に第二桿材６ｂを垂設させているが、その第二桿材６ｂは連結部７ａと同程度の細線とされており、第一桿材６ａとの接続部分は捻転力を加えることで切断可能とし、その第二桿材６ｂを挿し込み部１０と共にフリー状態とすることができる。
【００２４】
図７に示す例では、第一桿材６ａをやはりＬ字形に形成し、その頂面を二本の連結部７ａ、７ａで支持部１ａと連結しているが、その屈曲部分は幅広く短かめのものとし、その側端面に細線とした二本の連結部７ｂ、７ｂを介して支持部６ｃを連結している。その連結部６ｃからは先端に挿し込み部１０を備えた第二桿材６ｂが垂設されている。この例では連結部７ｂ、７ｂを捻転力で切断することで支持部６ｃを含めた第二桿材６ｂをフリー状態とすることができる。
【００２５】
図８に示す例では第一桿材６ａを略三角形の板状として構成し、その頂面を二本の連結部７ａ、７ａで支持部１ａと連結している。また、第二桿材６ｂは略くの字状に曲成した形状として、その上半部分を細線とした連結部７ｂ、７ｂにより第一桿材６ａと連結している。連結部７ｂ、７ｂを捻転力で切断することによって先端に挿し込み部１０を備えた第二桿材６ｂをフリー状態とすることができる。
【００２６】
図９として示す例は第一桿材６ａを略Ｌ字状としてその屈曲部分を幅広く短かめとし、その側端面に細線とした二本の連結部７ｂ、７ｂを介して支持部６ｃを連結し、その支持部６ａから第二桿材６ｂを垂設した構成としており、図７で示した例と似ているが、この図９で示す例では支持部１ａと各々一本の連結部７ａ、７ａによって第一桿材６ａの頂面及び支持部６ｃの上端面を連結している点が異なり、この例では支持部１ａと６ｃとを連結する一本の連結部７ａを切断し、連結部７ｂ、７ｂを切断することで支持部６ｃを含めた第二桿材６ｂをフリー状態とすることができる。
【００２７】
図１０として示す例では第一桿材６ａをＬ字状に形成し、その頂面を二本の連結部７ａ、７ａで支持部１ａと連結している。この例では第二桿材６ｂも途中を曲成した略Ｌ字状のものとし、その頂面を第一桿材６ａの屈曲部の下面に細線とした二本の連結部７ｂ、７ｂで連結したものとなっている。この例では、連結部７ａ、７ａを捻転力で切断することで吊持ロック部６の全体を支持部１ａから切断し、連結部７ｂ、７ｂを切断して第二桿材６ｂをフリー状態とすることができるが、連結部７ａ、７ａの切断を行なわなくとも、連結部７ｂ、７ｂ部分のみを捻転力で切断してしまえば、第二桿材６ｂをいきなりフリー状態としてしまうことも可能となる。
【００２８】
図１１として示す例は第二桿材６ｂをＬ字状に形成して、その頂面を二本の連結部７ａ、７ａで支持部１ａと連結してある。この例では第一桿材６ａもＬ字状に形成して、その頂面を細線とした二本の連結部７ｂ、７ｂで第二桿材６ｂの屈曲部の下面に連結した構成としている。この例では、連結部７ａ、７ａを捻転力で切断し、その後、連結部７ｂ、７ｂを捻転力で切断することで第二桿材６ｂをフリー状態とすることができる。図５〜図１１で示した例ではすべて第二桿材６ｂはＩＣタグＴの透孔Ｈよりもサイズが小さく設定されているため、図４の例で説明したように、ＩＣタグＴを初期状態で取り外し、回収することができることとなる。
【００２９】
また、図１２、図１３として示すのはアタッチ部材をループタイプとして実現した場合である。このアタッチ部材は延伸処理されたプラスチック製のフィラメント１２を有しており、一端に内部に係止部を形成した受孔１３を有する受部１４を一体に備え、他端には前記受部１４の受孔１３に挿入される挿入部１５を一体に備え、その挿入部１５には受孔１３の係止部と係合されロック状態とする係合部１６が形成されている。
【００３０】
図１２として示す例は、受部１４を、フィラメント１２の端部に支持部１７を一体に形成し、その支持部１７と二本の細線とした連結部１８、１８で連結している。ここで支持部１７はＩＣタグＴの透孔Ｈよりも小さな径（図では側面方向）としてあり、連結部１８、１８を捻転力で切断し、フィラメント１２で成形された無端のループが解放されると、そのフィラメント１２に沿い、支持部１７をくぐらせてＩＣタグＴを回収することができるものとしてある。
【００３１】
また、図１３として示す例は、挿入部１５を、フィラメント１２の端部に支持部１７を一体に形成し、その支持部１７と二本の細線とした連結部１８，１８で連結している。ここでも支持部１７はＩＣタグＴの透孔Ｈよりも小さな径としてあり、連結部１８、１８を捻転力で切断し、フィラメント１２で成形された無端のループが解放されると、そのフィラメント１２に沿い、支持部１７をくぐらせてＩＣタグＴを回収することができるものとしてある。
【００３２】
さらに、図１４として示す例は、アタッチ部材をピンタイプとして実現したものである。この場合は、延伸処理されたプラスチック製のフィラメント１９を有しており,このフィラメント１９の一端に抜け止め用の横棒部２０を一体に備えている。フィラメント１９の他端には支持部２１が一体に形成され、その支持部２１に単本とした細線の連結部２２を介してパドル部２３が連結されている。ここで連結部２２は単本としたが、二本の連結部２２を近接並列した構成とすることもできる。この例ではパドル部２３を捻ることで連結部２２に捻転力を加え、これを切断することができる。支持部２１はＩＣタグＴの透孔Ｈより小さな径としてあり、パドル部２３が切除されることでＩＣタグＴはそのまま取り外し、回収することができるものとなっている。
【産業上の利用可能性】
【００３３】
本願発明に係るアタッチ部材の実施例は上記したような構成となっている。この実施例にあっては本出願で権利を要求する構成要素の線状材は延伸処理を施したフィラメントとしてあるが、これにこだわるものではなく、フィラメントのほかに、糸材、ボールチェーン等々に加え、ある程度の幅を有するタイプのものとして実行することもできる。また、取り外し、回収してリサイクルの対象とするものも、ＩＣタグのほか、単価の高いブランドタグ等とすることも勿論可能である。
【図面の簡単な説明】
【００３４】
【図１】本発明を実施したアタッチ部材を示す正面図である。
【図２】他の例の要部を示す図である。
【図３】他の例の要部を示す図である。
【図４】吊持ロック部の一例を示す正面図である。
【図５】他の例を示す正面図である。
【図６】他の例を示す正面図である。
【図７】他の例を示す正面図である。
【図８】他の例を示す正面図である。
【図９】他の例を示す正面図である。
【図１０】他の例を示す正面図である。
【図１１】他の例を示す正面図である。
【図１２】ループタイプとしたアタッチ部材を示す正面図である。
【図１３】他の例を示す正面図である。
【図１４】ピンタイプとしたアタッチ部材を示す正面図である。
【図１５】ＩＣタグを示す正面図である。
【符号の説明】
【００３５】
１    フィラメント
１ａ  支持部
２    受孔
３    受部
４    挿入部
５    係合部
６    吊持ロック部
６ａ  第一桿材
６ｂ  第二桿材
７    連結部
７ａ  連結部
７ｂ  連結部
８    受穴
９    受部
１０  挿し込み部
１１  連結部
１２  フィラメント
１３  受孔
１４  受部
１５  挿入部
１６  係合部
１７  支持部
１８  連結部
１９  フィラメント
２０  横棒部
２１  支持部
２２  連結部
２３  パドル部
Ｔ    ＩＣタグ
ｔ    突片
Ｈ    透孔
Ｃ    ＩＣチップ
Ａ    アンテナ
【図１】
2005283784.tif 000003
【図２】
2005283784.tif 000004
【図３】
2005283784.tif 000005
【図４】
2005283784.tif 000006
【図５】
2005283784.tif 000007
【図６】
2005283784.tif 000008
【図７】
2005283784.tif 000009
【図８】
2005283784.tif 000010
【図９】
2005283784.tif 000011
【図１０】
2005283784.tif 000012
【図１１】
2005283784.tif 000013
【図１２】
2005283784.tif 000014
【図１３】
2005283784.tif 000015
【図１４】
2005283784.tif 000016
【図１５】
2005283784.tif 000017